(57)【特許請求の範囲】
【請求項１】
熱交換器を通過する空気中の埃を集塵するエアフィルターと、前記エアフィルターを保持するフィルター枠と、前記フィルター枠に設けられ、空気流入口を備えた固定式埃収納部と、前記固定式埃収納部に連結した吸引装置と、前記エアフィルターに付着した埃を除去する埃除去部材を備えた可動式埃収納部とを備え、前記可動式埃収納部と前記固定式埃収納部とが密着することで、空気流通路を形成することを特徴とする空気調和機のフィルター装置。
【請求項２】
可動式埃収納部が２列の埃除去材と１列のシール材を備え、前記１列のシール材は、エアフィルターの表面との間に隙間を有し、かつ、固定式埃収納部には、フィルター表面に一致する表面と、シール材のシール面に一致する表面とを備えるために段差が設けられていることを特徴とする、請求項１に記載の空気調和機のフィルター装置。
【発明の詳細な説明】
【技術分野】
【０００１】
本発明は、エアフィルターの清掃を自動的に行うようにした空気調和機のフィルター装置に関するものである。
【背景技術】
【０００２】
従来、空気調和機のフィルター装置は、熱交換器の上流側に、熱交換器および、空気調和機内部への埃の侵入を防止するために、エアフィルターが配置されている。エアフィルターは自由に着脱することができ、取り外してエアフィルターに付着した埃を掃除しやすくなっている。このような構成のフィルター装置では、頻繁なメンテナンスを必要とし、メンテナンスが行われるまでの間には、埃によってエアフィルターが徐々に目詰まりして
ゆき、その結果、熱交換器を通過する風量も徐々に低下し、消費電力の増大に繋がる。
このため、フィルターのメンテナンスの手間を低減する目的で、特許文献１のようにエアフィルターに付着した埃をブラシにて定期的に清掃する自動清掃装置が考案されている。
【特許文献１】特開２００１−９９４７９号公報
【発明の開示】
【発明が解決しようとする課題】
【０００３】
しかしながら、前記従来の構成では、たまった埃を人手により捨てる必要があり、メンテナンスの手間が大幅に軽減されるものではなかった。
【０００４】
こうした観点から、エアフィルターの自動清掃装置としては、フィルターに付着した埃をブラシで掻き落とした後、吸引清掃し、吸引された埃を集塵装置に集塵もしくは室外へ排出する清掃方法が好ましい。
【０００５】
本発明は、前記従来の課題を解決するものであり、空気調和機のメンテナンスの煩わしさを大幅に低減する空気調和機のフィルター装置を提供するものである。
【課題を解決するための手段】
【０００６】
前記従来の課題を解決するために、本発明の空気調和機のフィルター装置は、熱交換器を通過する空気中の埃を集塵するエアフィルターと、前記エアフィルターを保持するフィルター枠と、前記フィルター枠に設けられ、空気流入口を備えた固定式埃収納部と、前記固定式埃収納部に連結した吸引装置と、前記エアフィルターに付着した埃を除去する埃除去部材を備えた可動式埃収納部とを備え、前記可動式埃収納部と前記固定式埃収納部とが密着することで、空気流通路を形成する構成としたものである。
【０００７】
この構成によれば、フィルターの表面に付着した粉塵を、自動的に除去するとともに、吸引装置で吸引して、集塵装置に集塵もしくは屋外に排出することが可能となる。
【発明の効果】
【０００８】
本発明の空気調和機のフィルター装置は、空気調和機の利用者の定期的なメンテナンスの負担を低減でき、同時に長期間の運転に対する性能の低下を抑えることが可能な空気調和機を提供することが出来る。
【発明を実施するための最良の形態】
【０００９】
第１の発明は、熱交換器を通過する空気中の埃を集塵するエアフィルターと、前記エアフィルターを保持するフィルター枠と、前記フィルター枠に設けられ、空気流入口を備えた固定式埃収納部と、前記固定式埃収納部に連結した吸引装置と、前記エアフィルターに付着した埃を除去する埃除去部材を備えた可動式埃収納部とを備え、前記可動式埃収納部と前記固定式埃収納部とが密着することで、空気流通路を形成する構成としたものである。
【００１０】
この構成によれば、フィルターの表面に付着した粉塵を、自動的に除去するとともに、吸引装置で吸引して、集塵装置に集塵もしくは屋外に排出することが可能となる。
【００１１】
こうすることにより、本発明のフィルター装置は、空気調和機の利用者の定期的なメンテナンスの負担を低減でき、同時に長期間の運転に対する性能の低下を抑えることが可能な空気調和機を提供することが出来る。
【００１２】
第２の発明は、特に第１の発明のフィルター装置において、可動式埃収納部が２列の埃除去材と１列のシール材を備え、前記１列のシール材は、エアフィルターの表面との間に
隙間を有し、かつ、固定式埃収納部には、フィルター表面に一致する表面と、シール材のシール面に一致する表面とを備えるために段差が設けられていることを特徴とする。
【００１３】
この構成によれば、１列目の埃除去材が取りこぼした埃を２列目の埃除去材によって除去することが可能となり、フィルターの表面に付着した粉塵を、より確実に除去するとともに、吸引装置で吸引して、集塵装置に集塵もしくは屋外に排出することが可能となる。
【００１４】
こうすることにより、本発明のフィルター装置は、空気調和機の利用者の定期的なメンテナンスの負担を低減でき、同時に長期間の運転に対する性能の低下を抑えることが可能な空気調和機を提供することが出来る。
【００１５】
（実施の形態１）
図１は本発明の実施の形態１におけるフィルター装置１の斜視図であり、図２は図１におけるＡ−Ａ断面であり、図３は図１におけるＢ−Ｂ断面である。
【００１６】
図１において、フィルターワク７には、熱交換器を通過する空気中の埃を除去するエアフィルター２と、可動式埃収納部８を備え、可動式埃収納部８は、フィルターワク７の上下端に設置したガイドレール６に図２に示すようなローラー１５を介して支持されており、左右に移動することが可能な構成となっている。ここで可動式埃収納部８はフィルターワク７の下部に備えたワイヤー３と駆動モーター４で、左右に駆動される。
【００１７】
可動式埃収納部８は、図２および図３に示すような除去部材１２および、シール材１３を設けている。固定式埃収納部１４は、吸引口１５と空気流入口１６を備えている。
【００１８】
吸引装置９は吸引口１５で固定式埃収納部と連結されており、また、屋外へ引回される排気ダクト１０が連結されている。
【００１９】
以上のように構成されたフィルター装置１について、以下その動作、作用を説明する。
【００２０】
フィルター装置１の動作停止時は、可動式埃収納部８はフィルターワク７の右端で待機している。フィルター装置１を作動させると、可動式埃収納部８は左方向へ移動しながら、除去部材１２でエアフィルター２に付着した埃を掻き寄せ、可動式埃収納部８内部に集塵していく。
【００２１】
可動式埃収納部８は、左端まで移動すると、図４に示すように、固定式埃収納部１４の上へ覆いかぶさる形になり、可動式埃収納部８に設けられたシール材１３および除去部材１２が、固定式収納部１４に密着することとなる。そうすることで、可動式埃収納部８と固定式埃収納部１４により、空気流通路が形成される。この状態で、吸引装置９を作動させると、固定式埃収納部１４に設けられた吸入口１６から空気が流入し、この流入する空気の勢いにより、埃収納部内の埃が吸引装置９へ吸引される。吸引された埃は、排気ダクト１０を通過して、屋外へ排出されることとなる。
【００２２】
これにより、フィルターの表面に付着した粉塵を、自動的に除去することが可能となり、空気調和機の利用者の定期的なメンテナンスの負担を低減でき、同時に長期間の運転に対する性能の低下を抑えることが可能な空気調和機を提供することが出来る。
【００２３】
尚、本実施例では、可動式埃収納部８をフィルターワク７に沿って左右に移動させたが、フィルターファク７に沿って上下に移動させてもかまわない。
【００２４】
（実施の形態２）
図５は本発明の実施の形態２におけるフィルター装置１の斜視図であり、図６、図７および図８は図５におけるＣ−Ｃ断面である。
【００２５】
図５における可動式埃収納部８は、図６で示されるように、１列目埃除去部１７と、２列目埃除去部１８と、シール部１９を有している。１列目埃除去部１７と、２列目埃除去部１８はそれぞれ、フィルター２の表面に密着する埃除去材２０を有しており、シール部１９は、フィルター２の表面との間に隙間を設けた位置にシール材２１を有している。
【００２６】
そして、埃収納部Ａ２２は、シール部１９と１列目埃除去部１７で形成され、埃収納部Ｂ２３は、１列目埃除去部１７と２列目埃除去部１８によって形成されている。
【００２７】
また、図５から解るように、可動式埃収納部８の埃収納部Ａ２２と埃収納部Ｂ２３は、連結空気路２４にて空間的に連結されている。
【００２８】
図５における固定式埃収納部１４は、図６で示されるようにフィルター２の表面に一致する表面イ２５と、シール材２１のシール面に一致する表面ロ２６を設ける段差２７が設けられている。
【００２９】
図５における空気吸入口１６は、図７で示されるように、可動式埃除去部８が左方向へ移動し、シール部１９が、表面ロ２６に十分密着した位置で、埃収納部Ａの空気と連結するような位置に配置されている。この位置は、さらに図８で示されるように、可動式埃除去部８がさら左方向へ移動した位置で、今度は、埃収納部Ｂの空気と連結するような位置にもなっている。
【００３０】
以上のように構成されたフィルター装置１について、以下その動作、作用を説明する。
【００３１】
フィルター装置１の動作停止時は、可動式埃収納部８はフィルターワク７の右端で待機している。フィルター装置１を作動させると、可動式埃収納部８は左方向へ移動しながら、１列目埃除去部に備えられた埃除去部材２０でエアフィルター２に付着した埃を掻き取って埃収納部Ａ内部に堆積させてゆく。しかしながら、フィルター２には表面の撓みなどがあり、１列目の埃除去部材で埃を完全に取りきれない場合がある。そこで、２列目埃除去部に備えられた埃除去部材２１で、１列目の埃除去部材で取りこぼした埃を確実に除去することができる。２列目の埃除去部材２０で除去された埃は、埃収納部Ｂに堆積することとなる。また、シール材１９は、エアフィルター２の表面に対して隙間があるため、埃を引っ掛けることはない。
【００３２】
可動式埃収納部８が左側へ移動し、図７の状態になったとする。
【００３３】
図７において、可動式埃収納部８のシール材１９、埃除去部材２０はそれぞれ、固定式埃収納部１４の表面ロ２６および、表面イ２５に密着する。この状態で、吸引装置９を作動させると、空気吸引口１６から空気が流入し、この流入する空気の勢いで、埃収納部Ａ内部の埃が、吸引連結口１５を通じて、吸引装置９へ吸引される。吸入された埃は、排気ダクト１０を通過して、屋外へ排出されることとなる。
【００３４】
可動式埃収納部８がさらに左側へ移動し、図８の状態になったとする。
【００３５】
図８において、空気吸入口１６は、今度は、可動式埃収納部８の埃収納部Ｂに連結され、吸引装置９を作動させると、空気吸引口１６から流入した空気は、埃収納部Ｂの埃を巻き込み、図５に示す連結空気路２４を通過し、さらに吸引連結口１５を通過し、吸引装置９に吸引される。吸引された埃は、同様に排気ダクト１０を通過して、屋外へ排出される
こととなる。
【００３６】
通常このような２つの空気流通路の吸引を切り替える場合は、切り替え弁などの新たな駆動装置が必要であるが、このような構成をとることにより、駆動装置を増やさず、埃収納部Ａと埃収納部Ｂの両方の埃を吸引除去することが可能である。
【００３７】
そのため、コストを増大させず確実に埃を除去する効果を向上させることが可能となると同時に、フィルターの表面に付着した粉塵を、自動的に除去することが可能となり、空気調和機の利用者の定期的なメンテナンスの負担を低減でき、同時に長期間の運転に対する性能の低下を抑えることが可能な空気調和機を提供することが出来る。
【産業上の利用可能性】
【００３８】
以上のように、本発明にかかる空気調和機のフィルター装置は、エアフィルターに付着した埃を自動的に清掃できるメンテナンス性を備えており、空気清浄機や制御盤などの空気中の埃を集塵するエアフィルターを装着した機器に適用できる。
【図面の簡単な説明】
【００３９】
【図１】本発明の実施の形態１における空気調和機のフィルター装置の斜視図
【図２】本発明の実施の形態１における空気調和機のフィルター装置の断面図で図１のＡ−Ａ断面図
【図３】本発明の実施の形態１における空気調和機のフィルター装置の断面図で図１のＢ−Ｂ断面図
【図４】本発明の実施の形態１における空気調和機のフィルター装置の要部斜視図
【図５】本発明の実施の形態２における空気調和機のフィルター装置の要部斜視図
【図６】本発明の実施の形態２における空気調和機のフィルター装置の断面図で図５のＣ−Ｃ断面図
【図７】本発明の実施の形態２における空気調和機のフィルター装置の断面図で図５のＣ−Ｃ断面図
【図８】本発明の実施の形態２における空気調和機のフィルター装置の断面図で図５のＣ−Ｃ断面図
【図９】本発明の実施の形態１における空気調和機の断面図で図５のＩ−Ｉ断面図
【図１０】本発明の実施の形態１における空気調和機の正面図
【符号の説明】
【００４０】
１  フィルター装置
２  エアフィルター
３  ワイヤー
４  駆動モーター
５  プーリー
６  ガイドレール
７  フィルターワク
８  可動式埃収納部
９  吸引装置
１０  排気ダクト
１２  除去部材
１３  シール材
１４  固定式埃収納部
１５  吸引口
１６  空気流入口
１７  １列目埃除去部
１８  ２列目埃除去部
１９  シール部
２０  埃除去部材
２１  シール材
２２  埃収納部Ａ
２３  埃収納部Ｂ
２４  連結空気路
２５  表面イ
２６  表面ロ
２７  段差
２８  吸引口
２９  熱交換器
３０  ファン
３１  風回路
３２  吹き出し口
３３  本体
【図１】
0004701978.tif 000002
【図２】
0004701978.tif 000003
【図３】
0004701978.tif 000004
【図４】
0004701978.tif 000005
【図５】
0004701978.tif 000006
【図６】
0004701978.tif 000007
【図７】
0004701978.tif 000008
【図８】
0004701978.tif 000009
【図９】
0004701978.tif 000010
【図１０】
0004701978.tif 000011